(57)【特許請求の範囲】
【請求項１】
裾部の外面に面ファスナーの帯状の第１係合部材がほぼ水平な状態で固着され、かつ第１係合部材の長手方向一端部から一方側に離れた箇所に第１つまみ布片の一端部が固着され、この第１つまみ布片の裏面に第１係合部材と係合する面ファスナーの第２係合部材が固着されているとともに、第１係合部材の長手方向他端部から他方側に離れた箇所に第２つまみ布片の一端部が固着され、この第２つまみ布片の裏面に第１係合部材と係合する面ファスナーの第３係合部材、表面に第２係合部材と係合する面ファスナーの第４係合部材がそれぞれ固着されていることを特徴とするレインパンツ。
【請求項２】
裾部の外面に前記第３係合部材と係合する面ファスナーの第５係合部材が固着されている請求項１に記載のレインパンツ。
【請求項３】
第１つまみ布片の一端部と第２つまみ布片の一端部との間において、裾部に水平方向に伸縮する伸縮性を付与した請求項１又は２に記載のレインパンツ。
【請求項４】
面ファスナーの第１係合部材及び第１つまみ布片の一端部が裾部の外側外面に固着され、第２つまみ布片の一端部が裾部の内側外面に固着されている請求項１、２又は３に記載のレインパンツ。
【発明の詳細な説明】
【０００１】
【発明の属する技術分野】
本発明は、例えば降雨時にゴルフを行う場合などに着用されるレインパンツに関し、さらに詳述すると、着用した後に裾部を絞ることができるレインパンツに関する。
【０００２】
【従来の技術】
降雨時にゴルフを行う場合、レインブルゾン及びレインパンツからなるレインウェアを着用することが多い。レインブルゾンはセーターやシャツの上から着用するものであり、レインパンツはスラックスの上から着用するものである。
【０００３】
上記レインパンツには、着用した後に裾部を絞ることができるようにしたものがある。このタイプのレインパンツでは、裾部を絞って裾部の内側にスラックスの裾部を収容することにより、スラックスの裾部がレインパンツからはみ出て汚れることを防止したり、レインパンツの股下が長い場合に、裾部を絞って足首付近に裾部を保持することにより、股下の長さを調節したりすることができる。このように裾部を絞ることができるレインパンツとして、従来、図５及び図６に示すものがある。図５は上記レインパンツの裾部の外側外面を示す側面図、図６は図５Ｚ−Ｚ線に沿った拡大断面図である。
【０００４】
本例のレインパンツ５２は、両裾部（図では一方の裾部５４のみを示す）の裾布５６の外側外面５３に、面ファスナー（商品名マジックテープ）の一方の係合部材５８を固着してある。また、一方の係合部材５８の長手方向一端部６０から一方側（図６矢印Ｂ方向側）に離れた箇所に、つまみ布片６２の一端部６４を固着してある。そして、つまみ布片６２の裏面に面ファスナーの他方の係合部材６６を固着し、この他方の係合部材６６を一方の係合部材５８の長手方向一端側に係合してある。
【０００５】
面ファスナーの一方の係合部材５８は、幅２ｃｍ程度、長さ１５ｃｍ程度の比較的長尺の帯状もので、水平にした状態で裾布５６の外側外面５３に固着してある。また、面ファスナーの他方の係合部材６６は、幅２ｃｍ程度、長さ４ｃｍ程度の比較的短尺のもので、やはり水平にした状態でつまみ布片６２の裏面に固着してある。
【０００６】
なお、図中７０はレインパンツ５２の裾部５４を開くためのファスナー、７２はファスナー７０のつまみを示す。
【０００７】
本例のレインパンツは、スラックスの上から着用した後、つまみ布片６２の他端部６８を引っ張って面ファスナーの一方の係合部材５８から他方の係合部材６６を剥がした後、図７に示すように、他方の係合部材６６を一方の係合部材５８の長手方向他端側に係合させることにより、一方の係合部材５８に対する他方の係合部材６６の係合位置を変更して裾部５４を絞るものである。
【０００８】
【発明が解決しようとする課題】
前述した従来のレインパンツでは、一方の係合部材５８に対する他方の係合部材６６の係合位置を、一方の係合部材５８の長手方向一端側から他端側に変更することにより、裾部５４を絞っている。したがって、裾部５４を最大に絞った場合でも、裾まわり（裾部の周囲長さ）を短くすることができる長さは、図６に示した状態における他方の係合部材６６の先端部６７と、一方の係合部材５８の長手方向他端部６９との間の距離ｘ程度である。実際、図５及び図６に示したレインパンツでは、距離ｘは１１ｃｍ程度でしかない。
【０００９】
そのため、図５及び図６に示したレインパンツでは、裾まわりの長さの調節可能範囲が小さく、裾部を十分に絞ることができないので、裾部の内側にスラックスの裾部をうまく収容できずにスラックスの裾部がレインパンツからはみ出て汚れたり、足首付近に裾部が保持されないために股下が長くなって歩行時に裾部を引きずったりすることがあった。
【００１０】
これに対し、レインパンツの裾部を十分に絞ることができる手段として、裾部に裾ひもを通し、この裾ひもを結ぶ手段がある。しかし、この手段は、裾ひもを結んだりほどいたりする作業が面倒であった。
【００１１】
本発明は、上記事情に鑑みてなされたもので、面ファスナーを利用することにより裾部を簡単に絞ることができるレインパンツであって、裾まわりの長さの調節可能範囲が大きくて裾部を十分に絞ることができ、したがって前記のようにスラックスの裾部がレインパンツからはみ出て汚れたり、股下が長くなって歩行時に裾部を引きずったりすることを防止することが可能なレインパンツを提供することを目的とする。
【００１２】
【課題を解決するための手段】
本発明は、前記目的を達成するため、裾部の外面に面ファスナーの帯状の第１係合部材がほぼ水平な状態で固着され、かつ第１係合部材の長手方向一端部から一方側に離れた箇所に第１つまみ布片の一端部が固着され、この第１つまみ布片の裏面に第１係合部材と係合する面ファスナーの第２係合部材が固着されているとともに、第１係合部材の長手方向他端部から他方側に離れた箇所に第２つまみ布片の一端部が固着され、この第２つまみ布片の裏面に第１係合部材と係合する面ファスナーの第３係合部材、表面に第２係合部材と係合する面ファスナーの第４係合部材がそれぞれ固着されていることを特徴とするレインパンツを提供する。
【００１３】
本発明のレインパンツは、上述した構成を採用したので、下記▲１▼〜▲４▼の方法によって裾部を絞ることができる。
▲１▼第１係合部材に対する第２係合部材の係合位置を変更する。
▲２▼第３係合部材を第１係合部材の第２係合部材が係合していない箇所に係合する。
▲３▼第２係合部材を第４係合部材に係合する。
▲４▼第３係合部材を第１係合部材の任意箇所に係合するとともに、第２係合部材を第４係合部材に係合する。
【００１４】
したがって、本発明のレインパンツでは、前記▲１▼〜▲４▼の方法のいずれかを採ることにより、裾まわりの長さを広い範囲で調節することができる。また、通常、▲３▼や▲４▼の方法を採ると、裾まわりの長さを大きく低減して裾部を十分に絞ることができるので、裾部の内側にスラックスの裾部をうまく収容してスラックスの裾部がレインパンツからはみ出ることを防止したり、足首付近に裾部をうまく保持して股下の長さを調節したりすることが可能となる。また、特に▲４▼の方法では、第１係合部材に対する第３係合部材の係合位置を選択することにより、裾まわりの長さを適切に調節することが可能である。
【００１５】
本発明では、後述する実施形態例に示すように、下記（ａ）〜（ｃ）の構成を採用することがより好適である。
（ａ）裾部の外面に、第３係合部材と係合する面ファスナーの第５係合部材を固着する構成。
この構成によれば、第３係合部材と第５係合部材とを係合させることにより、第２つまみ布片を動かないように保持することができる。
【００１６】
（ｂ）第１つまみ布片の一端部と第２つまみ布片の一端部との間において、裾部に水平方向に伸縮する伸縮性を付与する構成。
この構成によれば、裾部を大きく絞ったときでも、上記伸縮性によって、着用者に足首が締め付けられるような感じを与えることを防止できる。
【００１７】
（ｃ）面ファスナーの第１係合部材及び第１つまみ布片の一端部を裾部の外側外面に固着し、第２つまみ布片の一端部を裾部の内側外面に固着する構成。
この構成によれば、本発明のレインパンツを着用した後に前記▲１▼〜▲４▼の作業を行うときに、該作業を行い易い。
【００１８】
【発明の実施の形態】
図１〜図３は、本発明に係るレインパンツの一実施形態例を示すもので、図１は上記レインパンツの裾部の外側外面を示す側面図、図２は同裾部の内側外面を示す側面図、図３は図１Ａ−Ａ線に沿った拡大断面図である。
【００１９】
本例のレインパンツ２は、両裾部（図では一方の裾部４のみを示す）の裾布６の外側外面３に、面ファスナー（商品名マジックテープ）の帯状の第１係合部材８を固着してある。また、前記第１係合部材８の長手方向一端部１０から一方側（図３矢印Ｂ方向側）に離れた箇所に、第１つまみ布片１２の一端部１４を固着してある。そして、第１つまみ布片１２の裏面に面ファスナーの第２係合部材１６を固着し、この第２係合部材１６を第１係合部材８の長手方向一端側に係合してある。
【００２０】
本例のレインパンツ２では、両裾部４の裾布６の内側外面５において、前記第１係合部材８の長手方向他端部１８から他方側（図３矢印Ｃ方向側）に離れた箇所に、第２つまみ布片２０の一端部２２を固着してある。そして、この第２つまみ布片２０の裏面に第１係合部材８と係合する面ファスナーの第３係合部材２４、表面に第２係合部材１６と係合する面ファスナーの第４係合部材２６をそれぞれ固着してある。さらに、裾布６の内側外面５には、第３係合部材２４と係合する面ファスナーの第５係合部材２８を固着してある。
【００２１】
また、図示していないが、第１つまみ布片１２の一端部１４と第２つまみ布片２０の一端部２２との間の領域（図３で示す領域Ｙ）において、裾布６にゴムが装着されており、これにより上記領域Ｙにおいて裾部４に水平方向に伸縮する伸縮性が付与されている。
【００２２】
面ファスナーの第１係合部材８は、幅１．５〜２．５ｃｍ程度、長さ７〜１０ｃｍ程度の比較的長尺のもので、水平にした状態で裾布６の外側外面３に固着してある。第２係合部材１６は、幅１．５〜２．５ｃｍ程度、長さ２．５〜４．５ｃｍ程度の比較的短尺のもので、やはり水平にした状態で第１つまみ布片１２の裏面に固着してある。第３係合部材２４は、幅１．５〜２．５ｃｍ程度、長さ２．５〜４．５ｃｍ程度の比較的短尺のもので、水平にした状態で第２つまみ布片２０の裏面に固着してある。第４係合部材２６は、幅１．５〜２．５ｃｍ程度、長さ４〜６ｃｍ程度のやや長尺のもので、水平にした状態で第２つまみ布片２０の表面に固着してある。第５係合部材２８は、幅１．５〜２．５ｃｍ程度、長さ２．５〜４．５ｃｍ程度の比較的短尺のもので、水平にした状態で裾布６の内側外面５に固着してある。
【００２３】
この場合、第１係合部材８、第４係合部材２６及び第５係合部材２８は、いずれも面ファスナーの一方の係合部材であって、同種のものである。また、第２係合部材１６及び第３係合部材２４は、いずれも面ファスナーの他方の係合部材であって、同種のものである。
【００２４】
なお、図中３０はレインパンツ２の裾部４を開くためのファスナー、３２はファスナー３０のつまみを示す。
【００２５】
本例のレインパンツは、スラックスの上から着用した後、下記▲１▼〜▲４▼の方法によって裾部４を絞ることができる。
▲１▼第３係合部材２４と第５係合部材２８とを係合させた状態で、第１係合部材８に対する第２係合部材１６の係合位置を変更する。これは、前述した従来方法と同様である。
▲２▼第３係合部材２４を第５係合部材２８から剥がした後、第２係合部材１６を第１係合部材８の長手方向一端側に係合した状態で、第３係合部材２４を第１係合部材８の長手方向他端側に係合する。
▲３▼第２係合部材１６を第１係合部材８から剥がした後、第３係合部材２４と第５係合部材２８とを係合させた状態で、第２係合部材１６を第４係合部材２６に係合する。
▲４▼第２係合部材１６を第１係合部材８から剥がすとともに、第３係合部材２４を第５係合部材２８から剥がした後、第３係合部材２４を第１係合部材８の任意箇所に係合し、さらに第２係合部材１６を第４係合部材２６に係合する。
【００２６】
裾部を大きく絞ることができる点、及び、裾まわりの長さを適切に調節することができる点で特に好ましい前記▲４▼の方法についてさらに詳しく説明すると、第１つまみ布片１２の他端部３４を引っ張って第１係合部材８から第２係合部材１６を剥がすとともに、第２つまみ布片２０の他端部３６を引っ張って第５係合部材２８から第３係合部材２４を剥がした後、図４に示すように、第３係合部材２４を第１係合部材８の適宜箇所に係合し、さらに第２係合部材１６を第４係合部材２６に係合するものである。
【００２７】
なお、本発明において、面ファスナーの各係合部材の幅及び長さや、第１係合部材の長手方向一端部と第１つまみ布片の一端部との距離、第１係合部材の長手方向他端部と第２つまみ布片の一端部との距離等は、目的に応じて適宜決定することができる。また、前記実施形態例では第１係合部材と第５係合部材とを別体に形成したが、第１係合部材を長くして第１係合部材が第５係合部材の機能を備えるようにしてもよい。
【００２８】
【発明の効果】
以上のように、本発明のレインパンツは、裾まわりの長さの調節可能範囲が大きく、裾部を十分に絞ることができるので、スラックスの裾部がレインパンツからはみ出て汚れたり、股下が長くなって歩行時に裾部を引きずったりすることを防止することが可能である。
【図面の簡単な説明】
【図１】本発明に係るレインパンツの一実施形態例の裾部の外側外面を示す側面図である。
【図２】同裾部の内側外面を示す側面図である。
【図３】図１Ａ−Ａ線に沿った拡大断面図である。
【図４】同レインパンツの裾部を絞った状態の一例を示す拡大断面図である。
【図５】従来のレインパンツの一例の裾部の外側外面を示す側面図である。
【図６】図５Ｚ−Ｚ線に沿った拡大断面図である。
【図７】同レインパンツの裾部を絞った状態を示す拡大断面図である。
【符号の説明】
２  レインパンツ
４  裾部
８  第１係合部材
１２  第１つまみ布片
１６  第２係合部材
２０  第２つまみ布片
２４  第３係合部材
２６  第４係合部材
２８  第５係合部材
【図１】
0003961664.tif 000002
【図２】
0003961664.tif 000003
【図３】
0003961664.tif 000004
【図４】
0003961664.tif 000005
【図５】
0003961664.tif 000006
【図６】
0003961664.tif 000007
【図７】
0003961664.tif 000008